(57)【特許請求の範囲】
【請求項１】
複数の住戸と、該複数の住戸に沿うように配置された共用廊下と、前記複数の住戸の内の少なくとも１つの住戸と前記共用廊下との間に形成されたアルコーブと、を備えた集合住宅において、
水平方向であって前記共用廊下に沿った方向を「第１方向」とし、該第１方向と略直交する水平方向であって前記共用廊下から離れる方向を「第２方向」とした場合に、
前記複数の住戸の内の少なくとも１つの住戸は、前記共用廊下の側からの視線を遮るように該共用廊下との境界部分に配置される壁部であって前記第１方向に延設された廊下側外壁と、該廊下側外壁に連続すると共に前記アルコーブを形成するように前記第２方向に延設されたアルコーブ側外壁と、前記廊下側外壁と前記アルコーブ側外壁とにより形成された隅部に略柱状の空間（以下、「柱状空間」とする）を形成するように前記廊下側外壁及び前記アルコーブ側外壁にそれぞれ対向する位置に配置された廊下側内壁及びアルコーブ側内壁と、を備え、
前記アルコーブ側外壁には開口部（以下、「アルコーブ側開口部」とする）が設けられ、
前記アルコーブ側内壁には、開閉可能な開閉窓が設けられた、
ことを特徴とする集合住宅。
【請求項２】
前記開閉窓は、光を透過させることができる第１透光部材を有し、
前記アルコーブ側開口部、前記柱状空間及び前記第１透光部材を介して室内に光を取り込めるように構成された、
ことを特徴とする請求項１に記載の集合住宅。
【請求項３】
前記廊下側内壁は、視線を遮ると共に光を透過させることができる第２透光部材を有し、
前記アルコーブ側開口部、前記柱状空間及び前記第２透光部材を介して室内に光を取り込めるように構成された、
ことを特徴とする請求項１又は２に記載の集合住宅。
【請求項４】
前記廊下側外壁と前記アルコーブ側外壁とにより挟まれる部分であって前記柱状空間が配置される部分以外の部分には、前記廊下側外壁、前記アルコーブ側内壁、前記廊下側内壁及び前記アルコーブ側外壁に面するように部屋が形成され、
該部屋は、前記開閉窓を有するアルコーブ側内壁に面する領域であって前記アルコーブの側から視認される可能性がある視認可能領域と、前記廊下側内壁によって遮蔽される領域であって前記アルコーブの側から視認される可能性が無い遮蔽領域と、を有する、
ことを特徴とする請求項１乃至３のいずれか１項に記載の集合住宅。
【請求項５】
前記部屋は、前記第１方向の寸法が前記第２方向の寸法よりも小さくなるように形成され、前記視認可能領域の面積が前記遮蔽領域の面積よりも小さくなるように設定された、
ことを特徴とする請求項４に記載の集合住宅。
【請求項６】
前記開閉窓の端縁であって前記共用廊下に近接する方を「廊下側端縁」とした場合に、
前記開閉窓は、前記廊下側端縁がヒンジにより支持されると共に前記柱状空間の側に開けられるように構成された片開き窓である、
ことを特徴とする請求項４又は５に記載の集合住宅。
【発明の詳細な説明】
【技術分野】
【０００１】
本発明は、共用廊下に沿うように複数の住戸が配置されて構成された集合住宅に関する。
【背景技術】
【０００２】
従来、共用廊下に沿うように複数の住戸が配置されて構成された集合住宅については種々の構造のものが提案されている（例えば、特許文献１参照）。
【０００３】
図４は、集合住宅の従来構造の一例を示す断面図であり、符号１００は共用廊下を示し、符号１０１は、該共用廊下Ｂに沿うように配置された住戸を示し、符号１０２は、該共用廊下１００と該住戸１０１との間に形成された窓部を示し、符号１０３は、防犯のために該窓部１０２に設置された面格子を示す。
【先行技術文献】
【特許文献】
【０００４】
【特許文献１】特開２００５−１６２４６号公報
【発明の概要】
【発明が解決しようとする課題】
【０００５】
しかしながら、図４に示す集合住宅の場合、窓部１０２が共用廊下１００に面する位置に形成されているため、窓が開けられている場合には該共用廊下１００の側から住戸１０１の内部が見えてしまうおそれがあった。
【０００６】
本発明は、上述の問題を解消することのできる集合住宅を提供することを目的とするものである。
【課題を解決するための手段】
【０００７】
請求項１に係る発明は、図２に例示するものであって、複数の住戸（Ａｉ−１，Ａｉ，Ａｉ＋１，…）と、該複数の住戸（Ａｉ−１，Ａｉ，Ａｉ＋１，…）に沿うように配置された共用廊下（Ｂ）と、前記複数の住戸（Ａｉ−１，Ａｉ，Ａｉ＋１，…）の内の少なくとも１つの住戸（Ａｉ）と前記共用廊下（Ｂ）との間に形成されたアルコーブ（Ｃ）と、を備えた集合住宅（Ｅ）において、
水平方向であって前記共用廊下（Ｂ）に沿った方向（ｘ）を「第１方向」とし、該第１方向（ｘ）と略直交する水平方向であって前記共用廊下（Ｂ）から離れる方向（ｙ）を「第２方向」とした場合に、
前記複数の住戸（Ａｉ−１，Ａｉ，Ａｉ＋１，…）の内の少なくとも１つの住戸（Ａｉ）は、前記共用廊下（Ｂ）の側からの視線を遮るように該共用廊下（Ｂ）との境界部分に配置される壁部であって前記第１方向（ｘ）に延設された廊下側外壁（１）と、該廊下側外壁（１）に連続すると共に前記アルコーブ（Ｃ）を形成するように前記第２方向（ｙ）に延設されたアルコーブ側外壁（２）と、前記廊下側外壁（１）と前記アルコーブ側外壁（２）とにより形成された隅部（Ｄ）に略柱状の空間（以下、「柱状空間」とする）（５）を形成するように前記廊下側外壁（１）及び前記アルコーブ側外壁（２）にそれぞれ対向する位置に配置された廊下側内壁（３）及びアルコーブ側内壁（４）と、を備え、
前記アルコーブ側外壁（２）には開口部（図１の符号２ａ参照。以下、「アルコーブ側開口部」とする）が設けられ、
前記アルコーブ側内壁（４）には、開閉可能な開閉窓（図１の符号４ａ参照）が設けられたことを特徴とする。
【０００８】
請求項２に係る発明は、請求項１に係る発明において、前記開閉窓（４ａ）は、光を透過させることができる第１透光部材（不図示）を有し、
前記アルコーブ側開口部（２ａ）、前記柱状空間（５）及び前記第１透光部材を介して室内に光を取り込めるように構成されたことを特徴とする。
【０００９】
請求項３に係る発明は、請求項１又は２に係る発明において、前記廊下側内壁（３）は、視線を遮ると共に光を透過させることができる第２透光部材を有し、
前記アルコーブ側開口部（２ａ）、前記柱状空間（５）及び前記第２透光部材を介して室内に光を取り込めるように構成されたことを特徴とする。
【００１０】
請求項４に係る発明は、請求項１乃至３のいずれか１項に記載の発明において、前記廊下側外壁（１）と前記アルコーブ側外壁（２）とにより挟まれる部分であって前記柱状空間（５）が配置される部分以外の部分には、前記廊下側外壁（１）、前記アルコーブ側内壁（４）、前記廊下側内壁（３）及び前記アルコーブ側外壁（２）に面するように部屋（Ｒ）が形成され、
該部屋（Ｒ）は、前記開閉窓（４ａ）を有するアルコーブ側内壁（４）に面する領域であって前記アルコーブ（Ｃ）の側から視認される可能性がある視認可能領域（Ｒ１）と、前記廊下側内壁（３）によって遮蔽される領域であって前記アルコーブ（Ｃ）の側から視認される可能性が無い遮蔽領域（Ｒ２）と、を有することを特徴とする。
【００１１】
請求項５に係る発明は、請求項４に記載の発明において、前記部屋（Ｒ）は、前記第１方向（ｘ）の寸法（Ｒｘ）が前記第２方向（ｙ）の寸法（Ｒｙ）よりも小さくなるように形成され、前記視認可能領域（Ｒ１）の面積が前記遮蔽領域（Ｒ２）の面積よりも小さくなるように設定されたことを特徴とする。
【００１２】
請求項６に係る発明は、請求項４又は５に記載の発明において、前記開閉窓（４ａ）の端縁であって前記共用廊下（Ｂ）に近接する方（図３の符号４ａ１参照）を「廊下側端縁」とした場合に、
前記開閉窓（４ａ）は、前記廊下側端縁（４ａ１）がヒンジにより支持されると共に前記柱状空間（５）の側に開けられるように構成された片開き窓である（図３参照）ことを特徴とする。
【００１３】
なお、括弧内の番号などは、図面における対応する要素を示す便宜的なものであり、従って、本記述は図面上の記載に限定拘束されるものではない。
【発明の効果】
【００１４】
請求項１に係る発明によれば、前記開閉窓を開けることによって、前記アルコーブ側開口部及び前記柱状空間を介して前記アルコーブから光や風を取り込むことができる。また、前記廊下側外壁は前記共用廊下の側からの視線を遮るように構成されており、前記開閉窓は、前記アルコーブの側（しかも、該アルコーブよりも所定距離だけ住戸内に引っ込んだ位置）に設けられているので、窓を開けている場合であっても前記共用廊下を通る人の視線を遮ってプライバシーを確保することができる。
【００１５】
請求項２に係る発明によれば、前記開閉窓を開けている場合だけでなく閉めている場合であっても前記アルコーブ側開口部、前記柱状空間及び前記第１透光部材を介して前記アルコーブから室内に光を取り込むことができる。
【００１６】
請求項３に係る発明によれば、前記アルコーブ側開口部、前記柱状空間及び前記第２透光部材を介して前記アルコーブから室内に、（該第２透光部材を設けない場合に比べて）より多くの光を取り込むことができる。
【００１７】
請求項４に係る発明によれば、前記遮蔽領域は、前記共用廊下の側からの視線はもちろんのこと前記アルコーブの側からの視線を受けることが無く、プライバシーをより完全に確保することができる。
【００１８】
請求項５に係る発明によれば、プライバシーを確保できる面積が大きくなり、部屋を有効に利用することが出来る。
【００１９】
請求項６に係る発明によれば、前記開閉窓を開けている場合でも、前記アルコーブからの視線を該開閉窓にて遮ることができ、それによってプライバシーを確保することができる。
【図面の簡単な説明】
【００２０】
【図１】図１は、本発明に係る集合住宅の構造の一例を示す斜視図である。
【図２】図２は、本発明に係る集合住宅の構造の一例を示す断面図である。
【図３】図３は、開閉窓の開閉方向を説明するための断面図である。
【図４】図４は、集合住宅の従来構造の一例を示す断面図である。
【発明を実施するための形態】
【００２１】
以下、図１乃至図３に沿って、本発明の実施の形態について説明する。
【００２２】
本発明に係る集合住宅は、図２に符号Ｅで例示するものであって、
・  複数の住戸Ａｉ−１，Ａｉ，Ａｉ＋１，…と、
・  該複数の住戸Ａｉ−１，Ａｉ，Ａｉ＋１，…に沿うように配置された共用廊下Ｂと、
・  前記複数の住戸Ａｉ−１，Ａｉ，Ａｉ＋１，…の内の少なくとも１つの住戸Ａｉと前記共用廊下Ｂとの間に形成されたアルコーブＣと、
を備えている。いま、水平方向であって前記共用廊下Ｂに沿った方向ｘを「第１方向」とし、該第１方向ｘと略直交する水平方向であって前記共用廊下Ｂから離れる方向ｙを「第２方向」とすると、前記住戸Ａｉ（つまり、前記複数の住戸の内の少なくとも１つの住戸Ａｉ）は、
・  前記共用廊下Ｂの側からの視線を遮るように該共用廊下Ｂとの境界部分に配置される壁部であって前記第１方向ｘに延設された壁部（以下、「廊下側外壁」とする）１と、
・  該廊下側外壁１に連続すると共に前記アルコーブＣを形成するように前記第２方向ｙに延設された壁部（以下、「アルコーブ側外壁」とする）２と、
を備えている。そして、それらの外壁１，２により形成される隅部Ｄには、
・  所定距離を置いて前記廊下側外壁１に対向する壁部（以下、「廊下側内壁」とする）３と、
・  所定距離を置いて前記アルコーブ側外壁２に対向する壁部（以下、「アルコーブ側内壁」とする）４と、
が配置されていて、該隅部Ｄには、前記廊下側外壁１、前記アルコーブ側外壁２、前記廊下側内壁３及び前記アルコーブ側内壁４によって形成された略柱状の空間（以下、「柱状空間」とする）５が配置されている。
【００２３】
一方、前記アルコーブ側外壁２には、図１に符号２ａで例示するように開口部（以下、「アルコーブ側開口部」とする）が設けられており、該外壁２に対向する前記アルコーブ側内壁４には、開閉可能な開閉窓４ａが設けられている。
【００２４】
なお、本明細書における「開閉窓」は、ヒンジにより開閉可能となるように構成された窓（いわゆる片開き窓）が好ましいが、いわゆる両開き窓やジャロジー窓（ルーバー窓）やスライド型窓等を除外するものではない。また、このような開閉窓４ａの下方や上方や側方に固定窓を設けるようにしても良い。さらに、請求項１に記載する「開閉窓」は、光を透過させることができる第１透光部材を有する開閉窓だけでなく、そのような透光部材を有さない開閉窓も含むものとする。またさらに、前記廊下側外壁１は、前記共用廊下Ｂの側かの視線を遮るように構成されていれば足り、例えば、図１乃至図３に符号１ａで示すように、ガラスブロックや磨りガラス等の透光部材（人の視線は遮るが光は透過させる部材）を有していても良い。
【００２５】
本発明によれば、前記開閉窓４ａを開けることによって、前記アルコーブ側開口部２ａ及び前記柱状空間５を介して前記アルコーブＣから光や風を取り込むことができる。また、前記廊下側外壁１は前記共用廊下Ｂの側からの視線を遮るように構成されており、前記開閉窓４ａは、前記アルコーブＣの側（しかも、該アルコーブＣよりも所定距離Δｘだけ住戸内に引っ込んだ位置）に設けられているので、窓を開けている場合であっても前記共用廊下Ｂを通る人の視線を遮ってプライバシーを確保することができる。
【００２６】
さらに、前記開閉窓４ａを遮光部材で構成しても良いが、該開閉窓４ａに、光を透過させることができる第１透光部材（不図示）を設けた場合には、該開閉窓４ａを開けている場合だけでなく閉めている場合であっても前記アルコーブ側開口部２ａ、前記柱状空間５及び前記第１透光部材を介して前記アルコーブＣから室内に光を取り込むことができる。なお、この第１透光部材としては、
・  透明ガラス等の部材や、
・  磨りガラス等の部材（つまり、人の視線は遮るが光は透過させることができる部材）
を挙げることができる。
【００２７】
一方、前記廊下側内壁３は、視線を遮ると共に光を透過させることができる第２透光部材（不図示）を有していると良い。そのようにした場合には、前記アルコーブ側開口部２ａ、前記柱状空間５及び前記第２透光部材を介して前記アルコーブＣから室内に、（該第２透光部材を設けない場合に比べて）より多くの光を取り込むことができる。なお、この廊下側内壁３には、通風用の開口部（人の視線を遮ることができる構成のもの）を適宜設けるようにしても良い。
【００２８】
また、前記廊下側外壁１と前記アルコーブ側外壁２とにより挟まれる部分には上述のように柱状空間５が配置されるが、該柱状空間５以外の部分に部屋Ｒを設けておくと良い。その場合の部屋Ｒは、前記廊下側外壁１、前記アルコーブ側内壁４、前記廊下側内壁３及び前記アルコーブ側外壁２に面することとなり、該部屋Ｒは、
・  前記開閉窓４ａを有するアルコーブ側内壁４に面する領域であって（前記開閉窓４ａを開けた場合に）前記アルコーブＣの側から視認される可能性がある視認可能領域Ｒ１と、
・  前記廊下側内壁３によって遮蔽される領域であって前記アルコーブＣの側から視認される可能性が無い遮蔽領域Ｒ２と、
を有することとなる。そのように構成した場合には、前記遮蔽領域Ｒ２は、前記共用廊下Ｂの側からの視線はもちろんのこと前記アルコーブＣの側からの視線を受けることが無く、プライバシーをより完全に確保することができる。例えば、前記遮蔽領域Ｒ２にベッドを配置した場合には、開閉窓４ａを開けた状態で就寝することも可能となる。
【００２９】
さらに、前記部屋Ｒを、前記第１方向ｘの寸法Ｒｘが前記第２方向ｙの寸法Ｒｙよりも小さくなるように形成し、前記視認可能領域Ｒ１の面積が前記遮蔽領域Ｒ２の面積よりも小さくなるように設定しておくと良い。そのようにした場合には、プライバシーを確保できる面積が大きくなり、部屋Ｒを有効に利用することが出来る。
【００３０】
ところで、前記開閉窓４ａを片開き窓とする場合は、前記第１透光部材として磨りガラス等の部材を使用するか、或いは該第１透光部材を使用せずに開閉窓４ａを遮蔽型とし、かつ、図３に示す方向に開放されるように構成すると良い。つまり、前記開閉窓４ａの端縁（鉛直に配置される端縁）であって前記共用廊下Ｂに近接する方４ａ１を「廊下側端縁」とした場合、図３に示すように、前記廊下側端縁４ａ１にヒンジ（不図示）を設けて該開閉窓４ａが前記柱状空間５の側に開くようにすると良い。そのようにした場合には、前記開閉窓４ａを開けている場合でも、前記アルコーブＣからの視線を該開閉窓４ａにて遮ることができ、それによってプライバシーを確保することができる。また、前記アルコーブ側開口部２ａには格子(不図示)を設けておいて、該開口部２ａからの侵入を防止できるようにすると良い。そのようにした場合には、前記開閉窓４ａを開けて通風や換気を確保できると共に、該開口部２ａ及び開閉窓４ａからの不審者の侵入を防止することができる。
【００３１】
なお、上述の柱状空間５は、観葉植物や他の装飾品を飾る空間として利用すると良い。また、前記アルコーブ側開口部２ａや前記柱状空間５の内部や前記開閉窓４ａの部分に面格子を設けるようにしても良い。さらに、その面格子は、アルコーブＣ側から室内への視線を遮断できるような向きのルーバー状にしても良い。またさらに、多くの共用廊下は人が通行できる程度の幅をもつ細長の形状であるが、本明細書における「共用廊下」とは、そのような細長形状の廊下だけでなく、ホールと呼ばれるようなものも含む概念である。また、「アルコーブ」とは、一般的には、各住戸の玄関前の凹所（つまり、共用廊下より引っ込んだ部分）をいうが、本明細書においては、玄関前に限定せずに共用廊下から引っ込んだ部分の全てを意味するものとする。
【符号の説明】
【００３２】
１                廊下側外壁
２                アルコーブ側外壁
２ａ              アルコーブ側開口部
３                廊下側内壁
４                アルコーブ側内壁
４ａ              開閉窓
４ａ１            廊下側端縁
５                柱状空間
Ａｉ−１，Ａｉ，Ａｉ＋１                住戸
Ｂ                共用廊下
Ｃ                アルコーブ
Ｄ                隅部
Ｅ                集合住宅
Ｒ                部屋
Ｒ１              視認可能領域
Ｒ２              遮蔽領域
Ｒｘ              部屋の第１方向の寸法
Ｒｙ              部屋の第２方向の寸法
ｘ                第１方向
ｙ                第２方向
【図１】
0005632320.tif 000002
【図２】
0005632320.tif 000003
【図３】
0005632320.tif 000004
【図４】
0005632320.tif 000005